(57)【要約】【課題】再生処理時において外部記録媒体にアクセスして所定データの書き込み／読み出しを行う際に処理遅延が発生するのを回避することが可能な画像音声装置を提供する。【解決手段】本発明の画像音声装置は通信部と、外部記録媒体を接続する接続部とを備える。また、画像または音声を含む再生情報に関連する関連情報を通信部または再生情報の記録媒体より取得して外部記録媒体に記録する再生制御部を備える。また、外部記録媒体に対して書き込み処理、読み出し処理、または読み書き並行処理を行う際の処理速度を計測する速度計測部を備える。また処理速度が予め定められた閾値を下回る場合に、再生制御部の動作に遅延が発生する可能性があることを示す警告を行う警告部を備えるこれにより、外部記録媒体の書き込み処理、読み出し処理、または読み書き並行処理の処理速度が遅い場合に、動作に遅延が発生する可能性があることを事前にユーザへ通知する。【選択図】図３
2014026690.tif 000002
【特許請求の範囲】
【請求項１】
通信網に接続されて通信を行う通信部と、
画像または音声を含む再生情報に関連する関連情報を、前記通信部または前記再生情報の記録媒体より取得して外部記録媒体に記録する再生制御部と、
前記外部記録媒体に対する書き込み処理、読み出し処理、または読み書き並行処理の処理速度を計測する速度計測部と、
前記処理速度が予め定められた閾値を下回る場合に、前記再生制御部の動作に遅延が発生する可能性があることを示す警告を行う警告部と、を備えること
を特徴とする画像音声装置。
【請求項２】
前記警告部は、前記処理速度が予め定められた閾値を下回る場合に、前記再生制御部の動作に遅延が発生する可能性があることを示す画像信号または音声信号を生成して出力すること
を特徴とする請求項１に記載の画像音声装置。
【請求項３】
前記再生制御部は、予め定められた規格の光ディスクに含まれる再生情報の再生を行う場合に、前記光ディスクに記録されている指示コマンドに基づいて前記関連情報を取得して前記外部記録媒体へ記録すること
を特徴とする請求項２に記載の画像音声装置。
【請求項４】
前記画像音声装置は、前記速度計測部による前記計測及び前記警告部による警告の実施／未実施に関する指示を受けつけ、未実施が指示された場合に前記速度計測部及び前記警告部の動作を禁止する設定部を備えること
を特徴とする請求項３に記載の画像音声装置。
【請求項５】
前記速度計測部は、複数の計測方法を備え、
前記設定部は、前記速度計測部が用いる前記計測方法の選択指定を受け付けること
を特徴とする請求項４に記載の画像音声装置。
【請求項６】
前記再生制御部は、ＢＤＪ（Blu-ray Disc Java（登録商標））規格の光ディスクの再生を行う場合に、前記ＢＤＪ規格で定められた指示コマンドを前記光ディスクより読み出し、前記指示コマンドに基づいて前記関連情報を取得して前記外部記録媒体へ記録すること
を特徴とする請求項５に記載の画像音声装置。
【請求項７】
前記画像音声装置は、放送波を受信して放送波から前記再生情報を取得する放送受信部を備え、
関連再生制御部は、前記放送受信部により取得された前記再生情報に関連する情報を前記関連情報として取得して前記外部記録媒体へ記録すること
を特徴とする請求項６に記載の画像音声装置。
【請求項８】
前記画像音声装置は、前記外部記録媒体を接続する接続部を備え、
前記接続部は、前記外部記録媒体として、半導体記録媒体、磁気記録媒体、または光記録媒体を接続して前記関連情報の読み出し処理、書き込み処理、または読み書き並行処理が可能であること
を特徴とする請求項７に記載の画像音声装置。
【発明の詳細な説明】
【技術分野】
【０００１】
本発明は、画像または音声の再生を行う画像音声装置に関するものであり、特に外部記録媒体を接続してデータの書き込み及び読み出しを行う機能を備えた画像音声装置に関する。
【背景技術】
【０００２】
近年、デジタル技術の多機能化、多様化により、ＨＤＤ（Hard Disk Drive）レコーダやＢＤ（Blu-lay Disc：登録商標）レコーダ等の様々な画像音声装置が普及している。これらの画像音声装置は、放送波に含まれる画像／音声デジタルデータをデコードすることにより、画像／音声信号をテレビジョン装置やモニタ、又はスピーカ等に出力する。
【０００３】
また近年の画像音声装置は、放送波の受信やＨＤＤへのデータ保存だけでなく、インターネット等の広域通信網を利用して動画を取得して再生する機能等、様々な付加機能を備えたものが普及している。
【０００４】
例えば、ＢＤ再生時にローカルストレージへコンテンツデータを転送する、ＢＤＪ（Blu-ray Disc Java（登録商標））という規格が提案されている。ＢＤＪで規定されているＢＤＪコンテンツの再生には、ローカルストレージと呼ばれる外部記録媒体が規格上必要である。
【０００５】
ＢＤＪコンテンツが認識されると、例えばＢＤＪコンテンツに含まれる所定情報（データ取得先のサーバ名等）に基づいてデータが取得され、ローカルストレージに書き込まれる。このようなＢＤＪコンテンツに基づくデータの書き込み／読み出し処理が行われるタイミングは、例えばＢＤＪコンテンツが認識された時点であったり、再生動作時であったり、ローディング表示中であったりと、様々である。
【０００６】
上記に関連して、ローカルストレージへデータの転送を行う際に、ローカルストレージ転送速度を測定し、転送に要すると推定される時間を算出する技術や、アクセスできる最大の速度を算出する技術が開示・提案されている（例えば特許文献１及び特許文献２を参照）。
【先行技術文献】
【特許文献】
【０００７】
【特許文献１】特開２００６−１６６０６９号公報
【特許文献２】特開２００９−３７６９９号公報
【発明の概要】
【発明が解決しようとする課題】
【０００８】
しかしながら、外部記録媒体の書き込み／読み出し速度（以下、「転送速度」という）は個体差が大きい。例えば、同一のデータであっても、１分で書き込みが終わるものもあれば、５分以上かかるものもある。このため、ＢＤ再生時に外部記録媒体へデータ転送を行うＢＤＪコンテンツが多数ある場合、転送速度が低いと、大きな遅延が発生する可能性がある。
【０００９】
しかしながらユーザは、遅延が発生した場合に、その原因が外部記録媒体の転送速度によるものなのか、それとも他の要因によるものなのかを、即座に判断するのが難しい。このため、あるＢＤＪコンテンツを再生させるのに、何分も待たなければならない状態が発生する可能性がある。これが長時間になると、ユーザは再生装置の不具合として判断することもあり得る。
【００１０】
本発明は、上記の問題を鑑みてなされたものであり、画像／音声の再生情報に含まれる所定情報に基づいて外部記録媒体にアクセスして所定データの書き込み／読み出しを行う機能を備えた画像音声装置であって、接続された外部記録媒体の転送速度に起因して処理遅延が発生するのを回避することが可能な画像音声装置を提供することを目的とする。
【課題を解決するための手段】
【００１１】
上記目的を達成するために本発明の画像音声装置は、通信網に接続されて通信を行う通信部と、画像または音声を含む再生情報に関連する関連情報を、前記通信部または前記再生情報の記録媒体より取得して外部記録媒体に記録する再生制御部と、前記外部記録媒体に対する書き込み処理、読み出し処理、または読み書き並行処理の処理速度を計測する速度計測部と、前記処理速度が予め定められた閾値を下回る場合に、前記再生制御部の動作に遅延が発生する可能性があることを示す警告を行う警告部と、を備えることを特徴とする。
【００１２】
この構成によると、外部記録媒体の書き込み処理、読み出し処理、または読み書き並行処理の処理速度が遅い場合に、動作に遅延が発生する可能性があることを事前にユーザへ通知することができる。
【００１３】
また上記目的を達成するために、前記警告部は、前記処理速度が予め定められた閾値を下回る場合に、前記再生制御部の動作に遅延が発生する可能性があることを示す画像信号または音声信号を生成して出力することを特徴とする。
【００１４】
この構成によると、画像再生装置に接続された表示装置またはスピーカを用いて、画像または音声を出力することにより警告を行うことができる。
【００１５】
また上記目的を達成するために、前記再生制御部は、予め定められた規格の光ディスクに含まれる再生情報の再生を行う場合に、前記光ディスクに記録されている指示コマンドに基づいて前記関連情報を取得して前記外部記録媒体へ記録することを特徴とする。
【００１６】
この構成によると、光ディスクの再生に起因して遅延が発生する可能性があることを、事前にユーザへ警告することができる。
【００１７】
また上記目的を達成するために、前記画像音声装置は、前記速度計測部による前記計測及び前記警告部による警告の実施／未実施に関する指示を受けつけ、未実施が指示された場合に前記速度計測部及び前記警告部の動作を禁止する設定部を備えることを特徴とする。
【００１８】
この構成によると、警告を行うか否かに関する設定をユーザが行うことができる。
【００１９】
また上記目的を達成するために、前記速度計測部は、複数の計測方法を備え、前記設定部は、前記速度計測部が用いる前記計測方法の選択指定を受け付けることを特徴とする。
【００２０】
この構成によると、外部記録媒体の種別や記録容量に応じて、計測方法を変更することができる。
【００２１】
また上記目的を達成するために、前記再生制御部は、ＢＤＪ（Blu-ray Disc Java（登録商標））規格の光ディスクの再生を行う場合に、前記ＢＤＪ規格で定められた指示コマンドを前記光ディスクより読み出し、前記指示コマンドに基づいて前記関連情報を取得して前記外部記録媒体へ記録することを特徴とする。
【００２２】
この構成によると、ＢＤＪコンテンツが含まれているＢＤＪディスクの再生に起因して遅延が発生する可能性があることを、事前にユーザへ警告することができる。
【００２３】
また上記目的を達成するために、前記画像音声装置は、放送波を受信して放送波から前記再生情報を取得する放送受信部を備え、関連再生制御部は、前記放送受信部により取得された前記再生情報に関連する情報を前記関連情報として取得して前記外部記録媒体へ記録することを特徴とする。
【００２４】
この構成によると、放送波に含まれる指示に基づいて外部記録媒体へアクセスすることに起因して遅延が発生する可能性があることを、事前にユーザへ警告することができる。
【００２５】
また上記目的を達成するために、前記画像音声装置は、前記外部記録媒体を接続する接続部を備え、前記接続部は、前記外部記録媒体として、半導体記録媒体、磁気記録媒体、または光記録媒体を接続して前記関連情報の読み出し処理、書き込み処理、または読み書き並行処理が可能であることを特徴とする。
【００２６】
この構成によると、フラッシュメモリ等の半導体記録媒体や、ＣＤ等の光記録媒体に対して関連情報を読み出し処理、書き込み処理、または読み書き並行処理する際に遅延が発生する可能性があることを、事前にユーザへ警告することができる。
【発明の効果】
【００２７】
本発明によれば、ＢＤＪコンテンツのような、外部記録媒体へのアクセスを必要とするコンテンツを再生する機能を備えた画像音声装置において、転送速度の低い外部記録媒体が接続された場合に、処理に時間がかかり遅延が発生する可能性がある旨を、事前にユーザに通知する。これによりユーザは、通知された外部記録媒体を使用しないことにより、遅延が発生するのを回避できる。或いは、例え通知された外部記録媒体を使用するとしても、遅延発生時にその原因を即座に理解することができる。
【図面の簡単な説明】
【００２８】
【図１】本発明の画像音声装置が備える機能部の構成を示すブロック図である。
【図２】本発明の画像音声装置の内部構成を示すブロック図である。
【図３】本発明の速度算出処理を示すフロー図である。
【図４】本発明の画像音声装置が出力する警告画面を示す画面図である。
【図５】本発明の画像音声装置が出力する設定画面を示す画面図である。
【図６】その他の実施形態に係る設定画面を示す画面図である。
【発明を実施するための形態】
【００２９】
以下に本発明の実施形態を、図面を参照しながら説明する。なお、ここで示す実施形態は一例であり、本発明はここに示す実施形態に限定されるものではない。
〈１．内部構成について〉
【００３０】
図２は、本発明の一実施形態に係るＢＤレコーダ１（＝画像音声装置）の内部構成を示すブロック図である。なお、図２における矢印線は画像／音声データの流れを示している。また、矢印のない直線は、制御部１１が各装置に対する制御信号等を送受信するための通信バスを示している。
【００３１】
ＢＤレコーダ１は少なくとも、制御部１１、メモリ１２、操作部１３、フラッシュメモリ１４、ＨＤＤ１５、光ディスクドライブ１６、放送受信部１７、信号処理部１８、ＯＳＤ（On-Screen Display）処理部１９、通信Ｉ／Ｆ（Interface）２０（＝通信部）、外部接続端子２１、及びメモリ接続部２２（＝接続部）を含むように構成されている。
【００３２】
なお図２では、外部接続端子２１により接続される表示装置として、ディスプレイ２を例示している。また、通信Ｉ／Ｆ２０により接続される通信装置として、ブロードバンドルータ３を例示している。また、メモリ接続部２２により接続される外部記録媒体として、メモリカード４を例示している。
【００３３】
制御部１１は、ＢＤレコーダ１の各部の駆動を制御することにより、画像／音声の再生処理、記録処理、出力処理等を統括制御するためのものである。制御部１１は例えば、複数のマイクロプロセッサから構成されている。また制御部１１は、制御部１１が備える演算処理装置上でプログラムを実行することにより実現される機能部として、後述する再生制御部１１ａ〜設定部１１ｄ（図１）を備えている。
【００３４】
メモリ１２は、ＢＤレコーダ１が保持する各種データを一時的に記録する媒体であり、例えば書き込み可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。
【００３５】
操作部１３は、ユーザがＢＤレコーダ１に対して、画像／音声の再生指示等を行うためのものである。操作部１３は、例えばＢＤレコーダ１のハウジングに設けられた複数のボタンや、不図示のリモコン装置等を含む。操作部１３はこれらの装置により、ユーザ操作を受け付ける。ユーザ操作が受け付けられると、制御部１１は、操作内容に基づいて再生処理や記録処理等を行う。
【００３６】
フラッシュメモリ１４は、ＥＥＰＲＯＭの一種で、デバイスの利用者が書き込み／消去可能なＲＯＭである。フラッシュメモリ１４は回路基板に実装したままで書き込み、消去ができるため、利用時に書き換えが必要な用途、例えば装置の動作設定データや、利用者固有の情報等を保存するのに用いられる。
【００３７】
ＨＤＤ１５は、デジタルデータを記録する磁気記録媒体である。本実施形態では主に、放送波に含まれる画像／音声データ（＝再生情報）から生成される録画データや、圧縮処理により生成された圧縮録画データを記録するのに用いられる。
【００３８】
光ディスクドライブ１６は、ＤＶＤ（Digital Versatile Disc）メディア、或いはＢＤメディア等の光ディスクに対して光学的に各種データの読み取り／書き込みを行うための光学装置である。光ディスクドライブ１６は、光ピックアップ（不図示）の制御を行うことにより、光ディスクに光ビームを照射して、光ディスクに記録された音声情報、画像情報等の各種情報の読み取りを行う。この際、光ピックアップの駆動制御やフォーカス制御、或いはチルト制御等の各種制御を行う。
【００３９】
放送受信部１７は、外部のアンテナ（不図示）に接続されてデジタル／アナログ放送の選局、受信、周波数変換、増幅、復調等を行う。放送受信部１７は、アナログ方式であればアナログチューナ、画像中間周波増幅回路、復調回路、及び増幅回路等を含むように構成されている。またデジタル方式であれば、デジタルチューナ、及び誤り訂正部等を含むように構成されている。
【００４０】
例えばデジタル放送を受信する場合、放送受信部１７に含まれるデジタルチューナが、中間周波信号の増幅及び検波を行う。これにより、ＭＰＥＧ２方式のデジタル信号であるＴＳ（＝Transport Stream）の取得を行う。
【００４１】
なおＴＳとは、複数のコンテンツ（番組）の音声ＰＥＳ（Packetized Elementary Stream）、画像ＰＥＳ、及び付加情報を固定長のＴＳパケットに分割してつなぎ合わせたものである。信号処理部１８へ与えられて画像／音声信号に変換される。なお、ＴＳを変換せずＨＤＤ１５へ記録することも可能である。この場合、信号処理部１８はＴＳのスルーのみを行う。
【００４２】
信号処理部１８は、放送受信部１７が生成したＴＳや、光ディスクドライブ１６が光ディスクより読み出したデジタルデータを入力し、音声情報を含む音声デジタル信号と、画像情報を含む画像デジタル信号とに分離する多重分離部である。具体的には例えば、放送受信部１７より生成されたＴＳを、ＴＳパケットに分割する。そしてＴＳパケットを再結合することにより、音声／画像のＰＥＳを生成する。
【００４３】
そしてＰＥＳを結合することにより、ＥＳ（Elementary Stream＝符号化された音声／画像データ）を生成する。さらに信号処理部１８はＥＳの復号を行い、各種デジタル信号に変換する。復号により得られたデジタル信号は、記録する場合はＨＤＤ１５へ与えられる。またディスプレイ２へ出力する場合は、外部出力端子２１へ与えられる。
【００４４】
ＯＳＤ処理部１９は、画像信号を生成する機能部である。ＯＳＤ処理部１９は、ＢＤレコーダ１が出力すべき情報をユーザが視認できる画像データに変換し、変換した画像データをディスプレイに表示するための画像信号を生成する。生成された画像信号は、外部出力端子２１より出力される。
【００４５】
通信Ｉ／Ｆ２０は、ＢＤレコーダ１を通信ネットワークと接続するための物理的なインタフェースである。通信Ｉ／Ｆ２０は例えば、ＩＥＥＥ８０２．３規格に準拠した有線ＬＡＮに接続するためのＬＡＮケーブルコネクタや、ＩＥＥＥ８０２．１１規格に準拠した無線ＬＡＮに接続するための無線アンテナ等を含むように構成されている。なお、電話通信網に接続するためのアナログ接続端子やＩＳＤＮ通信網に接続するためのＩＳＤＮ接続端子を備える形態であってもよい。
【００４６】
外部接続端子２１は、例えばＨＤＭＩ（High Definition Multimedia Interface）端子やコンポーネント端子等を含む、複数の入出力端子からなるインタフェースである。外部接続端子２１はこれらの入出力端子を用いて、ＨＤＤレコーダ１と外部の装置、例えばディスプレイ２を接続し、デジタル信号またアナログ信号の入出力を行う。
【００４７】
メモリ接続部２２は、例えばＵＳＢ（Universal Serial Bus）端子やフラッシュメモリ接続端子等の入出力端子からなる、メモリインタフェースである。メモリ接続部２２はこれらの入出力端子を用いて、ＢＤレコーダ１と外部記録媒体とを接続する。
【００４８】
ディスプレイ２は、図示しない表示部、操作部、制御部、及び接続部を備える表示装置である。ディスプレイ２は例えば、接続部に含まれるＨＤＭＩ端子に接続されたＨＤＭＩケーブルを介して、画像／音声を含むデジタル信号を受け付ける。そしてデジタル信号の複合化を行い、画像／音声の出力を行う。
【００４９】
ブロードバンドルータ３は、複数のＩＰネットワークを相互接続するためのネットワーク中継装置である。具体的には、ＯＳＩ（Open Systems Interconnection）参照モデルでいうネットワーク層（第３層）やトランスポート層（第４層）等のプロトコルを解析して転送を行う。これにより例えば、有線ＬＡＮとインターネットとの二つのＩＰネットワークを相互に接続する役割を持つ。
【００５０】
メモリカード４は、データの記録／消去が可能な外部記録媒体である。メモリカード４としては例えば、ＵＳＢメモリ、ＳＤカードメモリ、フラッシュメモリ等の半導体記録媒体を用いることが可能である。
〈２．機能部の構成について〉
【００５１】
ここで、本発明の一実施形態に係るＢＤレコーダ１が本発明の速度計測処理を実施するための各機能部の関係を、図１のブロック図を用いながら説明する。なお、図１における破線矢印線は、制御信号の流れを示している。
【００５２】
図１に示すように本発明の取得再生処理は、制御部１１が備える再生制御部１１ａ、速度計測部１１ｂ、警告部１１ｃ、及び設定部１１ｄにより実施される。
【００５３】
再生制御部１１ａは、光ディスクドライブ１６に装着された光ディスクの再生制御を行う。また本実施形態では、ＢＤＪコンテンツを含む光ディスクが装着された場合に、ＢＤＪコンテンツより所定の指示コマンドを抽出する。そして指示コマンドに基づいて各種処理を行う。各種処理において発生したデータ（＝関連情報）は、メモリカード４に記録する。
【００５４】
例えばネットワークを介したデータの取得コマンドが抽出された場合、再生制御部１１ａは、通信Ｉ／Ｆ２０を用いてデータのダウンロードを行い、ダウンロードしたデータを関連情報としてメモリカード４に記録する。また例えば、データの読み出しコマンドが抽出された場合、再生制御部１１ａは、メモリカード４より所定データを読み出して各種処理（例えば画像出力処理や送信処理）を行う。
【００５５】
速度計測部１１ｂは、外部記録媒体であるメモリカード４の転送速度を算出する。メモリ接続部２２に接続されるメモリカード４、その種類や記録容量も含めて、固体ごとに転送速度が異なる。例えば、あるＢＤＪコンテンツが１ＭＢのデータを外部記録媒体へ書き込む処理があったとして、メモリカード４ａが挿入されていた場合は書き込み時間が１分、メモリカード４ｂが挿入されていた場合は書き込み時間が３分と、個体差が出ることがある。
【００５６】
速度計測部１１ｂは、メモリカード４の装着時に、メモリカード４に対してテスト用のダミーデータの書き込み処理、読み出し処理、または読み書き並行処理（以下、「テスト計測」という）を行う。そしてテスト計測に掛かった処理時間を測定して、メモリカード４の転送速度を判定する。なお、テスト計測においては、ダミーデータの書き込み処理、読み出し処理、読み書き並行処理のいずれかのみを行う形態でもよいし、全てを行う形態でもよい。或いは、テスト計測においていずれの処理を行うかの指定を、ユーザより受け付ける形態でもよい。また、装着されたメモリカード４が複数存在する場合には、複数のメモリカード４に対して並行してテスト計測を行う形態でもよい。
【００５７】
具体的なテスト計測の方法としては、例えば１メガバイト〜１０メガバイト程度の大きさのダミーデータを用いる。ダミーデータのサイズは固定でもよいし、可変でもよい。例えば、メモリカード４の記録容量の全体サイズの１／１００をダミーデータのサイズとするように、記録容量に応じてサイズを変更してもよい。
【００５８】
また、テスト計測を行う記録領域は、予め定められた条件に基づいて決定する。例えば、メモリカード４の記録領域の先頭から終端まで、１０メガバイトおきの間隔で、１メガバイトのダミーデータを書き込む。書き込みが完了すると、次にダミーデータの読み出しを行う。なお、書き込みの完了を待たずに、書き込み済みのダミーデータの読み込みを行いつつ、新たなダミーデータの書き込みを行う形態でもよい。
【００５９】
或いは、記録領域の先頭及び終端のみにダミーデータを書き込む形態でもよい。この形態の場合、例えばメモリカード４の記録容量が１ギガバイトであれば、その１／１０である１００メガバイトのダミーデータを、記録領域の先頭及び終端のみに書き込む。
【００６０】
警告部１１ｃは、速度計測部１１ｂにより算出された転送速度が所定の閾値よりも低い場合、つまり転送速度が遅い場合に、挿入されたメモリカード４の転送速度が低いことを示す警告を行う。具体的な警告の方法としては、例えば警告メッセージを含む画像を、ディスプレイ２が出力するメニュー画面に表示する。或いは、警告メッセージを含む音声を、ディスプレイ２のスピーカ（不図示）へ出力する。これによりユーザは、挿入されたメモリカード４の転送速度が低いことを認識できる。
【００６１】
或いは警告部１１ｃは、光ディスクの再生中等において、メモリカード４へのアクセスが発生した場合に、上記の警告を行う形態でもよい。これによりユーザは、メモリカード４の転送速度に起因して、遅延が発生していることを認識できる。
【００６２】
ディスプレイ２に警告画面を出力する場合、警告部１１ｃは、警告メッセージを含む画像を表示するための画像信号を生成するよう、ＯＳＤ処理部１９を制御する。そして生成された画像信号を、外部接続端子２１を介してディスプレイ２へ出力する。
【００６３】
図４は、警告画面２００の一例である。図４に示すように確認画面２００には、メッセージウィンド２０１が含まれている。メッセージウィンド２０１には、装着されたメモリカード４の転送速度が低く、処理に遅延が発生する可能性がある旨を告げるメッセージ画像が表示される。
【００６４】
設定部１１ｄは、転送速度の算出処理及び警告処理のオン／オフに関する指定を、ＢＤレコーダ１の設定画面において受け付ける。オフが選択された場合、上記の処理を行わないよう、速度計測部１１ｂ及び警告部１１ｃに指示する。
【００６５】
図５は、設定画面３００の一例である。図５に示すように確認画面３００には、メッセージウィンド３０１と、カーソル３０２とが含まれている。メッセージウィンド３０１には、ユーザが設定変更可能な設定項目が表示される。
【００６６】
設定画面３００において、「デバイス速度計測」の項目にカーソル３０２があわせられている状態で操作部１３に含まれる決定ボタン（不図示）が押下されると、設定部１１ｄは、転送速度の算出処理及び警告処理のオン／オフを切り替える。
〈３．速度計測処理について〉
【００６７】
ここで、本発明の一実施形態に係るＢＤレコーダ１が実施する速度計測処理を、図３のフロー図を用いながら説明する。図３に示す処理は、メモリ接続部２２に対するメモリカード４の装着が検知された時点で開始される。
【００６８】
本処理の開始後、速度計測部１１ｂはステップＳ１１０において、転送速度の測定を実施するか否かを判定する。この判定は、予め設定部１１ｄにより設定画面２００で受け付けられている「デバイス速度計測」の項目のオン／オフに基づいて行う。
【００６９】
デバイス速度計測がオフに設定されている場合、後述するステップＳ１５０へ移行する。デバイス速度計測がオンに設定されている場合、速度計測部１１ｂはステップＳ１２０において、メモリ接続部２２に接続されたメモリカード４に対してテスト計測を行い、転送速度の算出を行う。そしてメモリカード４の転送速度が予め定められた閾値を上回るか否かを判定する。
【００７０】
次に警告部１１ｃはステップＳ１３０において、速度計測部１１ｂにより算出された転送速度が、所定の閾値を下回る、つまり閾値が定める速度より遅いか否かを判定する。閾値を下回らない場合、後述するステップＳ１５０へ移行する。
【００７１】
閾値を下回る場合、警告部１１ｃはステップＳ１４０において、警告メッセージを含む画像を表示するための画像信号を生成するよう、ＯＳＤ処理部１９に指示する。そして生成された画像信号を、外部接続端子２１よりディスプレイ２へ出力する。これにより例えば、図４に示す警告画面２００が表示される。なお警告メッセージの表示に際しては、画面遷移は行わず、表示中の画面にメッセージウィンド２０１のみを重畳する形態でもよい。
【００７２】
次に再生制御部１１ａはステップＳ１５０において、光ディスクドライブ１６に装着された光ディスクより、ＢＤＪコンテンツの再生を行う。これにより例えば、通信網を介して所定のコンテンツが取得され、メモリカード４に記録される。なお上記の再生処理は、必ずしも画像／音声の再生を含むものではなく、ＢＤＪディスクに記録されたコンテンツ取得用コマンドを読み出すだけの再生処理でもよい。
【００７３】
以上に説明した本実施形態によれば、ＢＤＪコンテンツが含まれる光ディスクの再生時に外部記録媒体にアクセスする画像音声装置において、装着された外部記録媒体の転送速度が遅い場合に予めユーザに警告する。
【００７４】
これによりユーザは、装着された外部記録媒体の転送速度が遅いことを事前に認識することができる。このため、転送速度が遅い警告メッセージが表示された段階で、ユーザが外部記録媒体を取り替えることができる。また、再生中等に遅延が発生した場合に、外部記録媒体の転送速度が原因であることを判断しやすくなる。
［その他の実施の形態］
【００７５】
以上、好ましい実施の形態及び実施例を挙げて本発明を説明したが、本発明は必ずしも上記実施の形態に限定されるものではなく、その技術的思想の範囲内において様々に変形して実施することができる。
【００７６】
従って本発明は、以下の形態にも適用可能である。
【００７７】
（Ａ）上記実施形態では、本発明の画像音声装置の一例としてＢＤレコーダ１を例に挙げているが、所定コンテンツに起因して外部記録媒体にアクセスして再生／記録処理行う画像音声装置であれば、これ以外の画像音声装置において本発明を実施する形態でもよい。例えば、テレビジョン装置やＤＶＤレコーダ等を用いる形態であってもよい。
【００７８】
（Ｂ）上記実施形態では、本発明の速度計測処理に関わる各機能部が、マイクロプロセッサ等の演算処理装置上でプログラムを実行することにより実現されているが、各機能部が複数の回路により実現される形態でもよい。
【００７９】
（Ｃ）上記実施形態では、外部記録媒体としてメモリカード４を例示しているが、これ以外の外部記録媒体を接続して、所定コンテンツに起因したデータの書き込み処理／読み出し処理／読み書き並行処理を行う形態でもよい。例えば、マイクロＨＤＤ等の磁気記録媒体、ＭＯ（Magneto Optical）等の光磁気記録媒体、或いはＣＤ−ＲＷ等の光ディスク媒体に対して、所定コンテンツに起因したデータの書き込み処理／読み出し処理／読み書き並行処理を行う場合に、本発明の速度計測処理を実施する形態でもよい。また、外部記録媒体の種別に応じて速度計測処理のオン／オフを決定したり、外部記録媒体の記録容量に応じて速度計測処理のオン／オフを決定する形態でもよい。
【００８０】
（Ｄ）上記実施形態では、外部記録媒体の接続が検知されたタイミングで図３の処理フローを実施しているが、これ以外のタイミングで図３の処理フローを実施する形態でもよい。例えば、録画処理がなされている状態、ＨＤＤ１５に録画済みのコンテンツが再生されている状態、または光ディスドライブ１６に装着されたＤＶＤの再生を行っている状態において実施する形態でもよい。また、前回の速度計測処理の履歴をメモリカード４のＩＤとともに記録しておき、接続回数または前回計測処理からの経過時間が所定の閾値を超える場合にのみ、図３の処理フローを実施する形態でもよい。
【００８１】
（Ｅ）上記実施形態では、ＢＤＪコンテンツの再生に伴うメモリカード４へアクセスが発生する場合に速度計測処理を行っているが、メモリカード４へのアクセスが発生するコンテンツはＢＤＪコンテンツに限るものではない。例えば、ＢＤＭＶ（Blu-ray Disk Movie）コンテンツの再生に伴ってメモリカード４へアクセスが発生する場合に速度計測処理を行う形態でもよい。或いは、デジタル放送により所定のデータを受信し、このデータに含まれる指示コマンドに応じてメモリカード４へのアクセスを行う機能を備えた画像音声装置において、本発明の速度計測処理を実施する形態でもよい。
【００８２】
（Ｆ）上記実施形態では、速度計測処理の処理方法が一つであることを前提に説明を行っているが、速度計測部１１が複数の算出方法を備える形態でもよい。例えば、精度は低いが高速に速度計測ができる高速モードと、精度は高いが算出に時間がかかる詳細モードとを備える形態でもよい。この形態の場合、設定部１１ｄは図６に示す設定画面３００を表示し、いずれのモードを選択するかの指示をユーザより受け付ける。速度計測部１１ｂは、受け付けた動作モードに応じた速度計測処理を行う。具体的には例えば、詳細モードでは１０メガバイト毎に１メガバイトのダミーデータを書き込む。一方、高速モードでは５００メガバイト毎に１メガバイトのダミーデータを書き込む。これにより例えば、外部記録媒体が１テラバイトの大容量である場合、詳細モードでは１０万回のテスト計測が必要だが、高速モードでは２０００回のテスト計測で速度計測処理を実施できる。
【００８３】
１      ＨＤＤレコーダ（画像音声装置）
２      ディスプレイ
３      ブロードバンドルータ
４      メモリカード（外部記録媒体）
１１    制御部
１１ａ  再生制御部
１１ｂ  速度計測部
１１ｃ  警告部
１１ｄ  設定部
１２    メモリ
１３    操作部
１４    フラッシュメモリ
１５    ＨＤＤ
１６    光ディスクドライブ
１７    放送受信部
１８    信号処理部
１９    ＯＳＤ処理部
２０    通信Ｉ／Ｆ（通信部）
２１    外部接続端子
２２    メモリ接続部（接続部）
【図１】
2014026690.tif 000003
【図２】
2014026690.tif 000004
【図３】
2014026690.tif 000005
【図５】
2014026690.tif 000006
【図６】
2014026690.tif 000007
【図４】
2014026690.tif 000008